(57)【要約】 【課題】着用勝手が良いだけでなく、体との一体性あるいはフィット性の良い補整用具の提供。【解決手段】全体として一体の細長い布本体１０Ｂで構成する。布本体１０Ｂは、軸線に沿う縦方向に見て、タオル地からなる第１の織り部分１１０と、さらし地からなる第３の織り部分１３０と、ガーゼ地からなる第２の織り部分１２０とを備える。厚い第１の織り部分１１０によって、補整のための厚みをかせぎ、また、第３の織り部分１３０の重なりによって、胴回りに巻いた布本体１０Ｂを保持する。【選択図】図２
0003226158.tif 000002
【実用新案登録請求の範囲】
【請求項１】
所定の幅をもち、一方の端から他方の端へと軸線に沿う縦方向に広がる布本体を備え、その布本体により、人体の凹みを緩和するための補整用具であって、次のような条件および構成を備えることを特徴とする補整用具。
Ａ  前記布本体は、前記軸線に沿う縦方向に沿って、厚さの大きい第１の織り部分と、その第１の織り部分よりも厚さの小さい第２の織り部分とを少なくとも備える。
Ｂ  前記第１の織り部分の厚さは、補整すべき人体の凹みを緩和するのに適した大きさである。
Ｃ  前記第２の織り部分は、前記第１の織り部分よりも織り密度が小さく、自らの重なりにより、その重なり状態を保持することができる構成である。
【請求項２】
前記第１の織り部分と前記第２の織り部分との間に、前記第１の織り部分よりも厚さが小さく、前記第２の織り部分よりも織り密度の大きい、第３の織り部分がある、請求項１の補整用具。
【請求項３】
前記第１の織り部分はタオル地、前記第２の織り部分はガーゼ地、そして、前記第３の織り部分はさらし地である、請求項２の補整用具。
【請求項４】
前記第１の織り部分、前記第２の織り部分、および前記第３の織り部分との互いに異なる織り部分の各間は、無縫製であり織りによりつながっている、請求項１あるいは２のいずれかの補整用具。
【請求項５】
前記第１の織り部分、前記第２の織り部分、および前記第３の織り部分との互いに異なる織り部分の各間は、縫製によってつながっている、請求項１あるいは２のいずれかの補整用具。
【考案の詳細な説明】
【技術分野】
【０００１】
この考案は、着物を着付けるときなどに、胴回りなどの凹みを緩和するための補整用具であり、特に、補整の作業がしやすいこと、および、快適な着用感を与えることに着目した技術に関する。
【背景技術】
【０００２】
着物は、洋服とは異なり、直線裁ちであるため、着付けをする際には、着物を着る人の体の凹凸を補整することが望ましい。その補整の中で最も求められる個所は、胴回りの部分である。補整は、そのような胴回りの部分をはじめ、着物を着る人の体の凹凸を緩和する作業である。補整作業は、いわゆる寸胴の凹凸のない、あるいは凹凸の少ない形にすることにより、着物をきれいに、しかも、着崩れしないようにする上で大事である。
【０００３】
このような補整をする手法として、一般的には、タオルや手ぬぐいなどを用いる。タオルや手ぬぐいなどを体の凹みの部分にあてがうことにより、凹みを緩和する。その際、タオルなどを体に保持し固定するため、腰ひもを用いる。
【０００４】
タオルや腰ひもを用いる補整作業は、複数の用具を用いることから、かなり面倒である。そこで、補整の作業勝手を高めるため、いろいろな補整用具が提案されている。たとえば、特許文献１の補整帯は、帯の本体部分にタオルなどを入れるポケットを設けることを示している。また、特許文献２は、タオルなどを支える部分の両端に、留めるための支持バンドを配置する技術を示している。
【先行技術文献】
【特許文献】
【０００５】
【特許文献１】実開平１−１１０２２３号公報
【特許文献２】実公昭５３−４２１６３号公報
【考案の概要】
【考案が解決しようとする課題】
【０００６】
以上に示した提案技術によれば、タオルなどをポケットに入れることができる点、支持バンドによりタオルなどの保持を確実に行うことができる点などにおける利点を得ることができる。
【０００７】
しかし、そのような提案技術による補整用具は、用いる材料の関係、あるいは留め用の支持バンドが付属することから、肌襦袢などの下着の上に着用せざるを得ない。また、着用の点でも、体との一体性あるいはフィット性の上で難点がある。長年の着付けの経験から、補整用具は、できれば、人体の肌に直接触れるような態様で用いるようにするのが好ましい。なぜなら、吸汗性やフィット性から快い着用感を得ることができるからである。
【０００８】
そこで、この考案では、着用のわずらわしさや手間を軽減することができるだけでなく、体との一体性あるいはフィット性を向上することができる補整用具を提供することを目的とする。
【０００９】
また、この考案は、全体を一体化した構成とし、その取扱いを容易に行うことができる補整用具を提供することを他の目的とする。この考案のさらなる目的については、今後の説明から明らかになるであろう。
【課題を解決するための手段】
【００１０】
この考案の補整用具は、基本的に、所定の幅をもち、一方の端から他方の端へと軸線に沿う縦方向に広がる布本体を備え、その布本体により、人体の凹みを緩和するための補整用具であって、次のような条件および構成を備えることを特徴とする。
Ａ  前記布本体は、前記軸線に沿う縦方向に沿って、厚さの大きい第１の織り部分と、その第１の織り部分よりも厚さの小さい第２の織り部分とを少なくとも備える。
Ｂ  前記第１の織り部分の厚さは、補整すべき人体の凹みを緩和するのに適した大きさである。
Ｃ  前記第２の織り部分は、前記第１の織り部分よりも織り密度が小さく、自らの重なりにより、その重なり状態を保持することができる構成である。
【００１１】
この考案の補整用具は、胴回りや胸元の補整など、いくつかの個所の補整に適用することができる。その中でも、胴回りの補整は誰にとっても必要である。胴回りの補整用具としての好ましい態様は、第１および第２の織り部分のほか、第３の織り部分を含む態様である。すなわち、好ましい態様は、前記第１の織り部分と前記第２の織り部分との間に、前記第１の織り部分よりも厚さが小さく、前記第２の織り部分よりも織り密度の大きい、第３の織り部分を備える。
【００１２】
前記第１の織り部分は、凹みを緩和するだけの厚みをかせぐ役割、また、前記第２の織り部分は、重なったときに、織り密度が粗いことにより、重なり状態をある程度保持する役割、そしてまた、前記第３の織り部分は、厚さ、織り密度の少なくとも一つが、前記第１の織り部分と前記第２の織り部分との中間に位置する。
【００１３】
前記第１〜第３の各織り部分の代表例は、前記第１の織り部分がタオル地、前記第２の織り部分がガーゼ地、そして、前記第３の織り部分がさらし地である。その場合、胸元の補整の場合には、厚い第１の織り部分の両端に、対称的に第２の織り部分をそれぞれ配列した構成にする。また、一般的な胴回りの補整の場合には、厚い第１の織り部分の終端に、中間的な第３の織り部分の始端をつなぎ、その第３の織り部分の終端に、織り密度の小さい第２の織り部分をつなぐ配列である。そして、適正な補整を行うため、第１〜第３の各織り部分について、胴回りに巻く縦方向の長さを所定以上の大きさにすることが好ましい。その長さは、胴回りを少なくとも一回りする長さである。さらに好ましくは、第１および第２の織り部分の長さについては、それ以上の長さ、たとえば一回り半あるいは二回り以上とすることにより、凹みの緩和、重なり状態の保持をより確実に行うことができる。
【００１４】
前記第１の織り部分、前記第２の織り部分、および前記第３の織り部分との互いに異なる織り部分の各間は、共通の縦糸を含ませることによって、織りによりつなげるようにし、無縫製にすることができる。また、それとは別の態様で、互いに異なる織り部分の各間を、縫製によってつなげるようにすることもできる。
【図面の簡単な説明】
【００１５】
【図１】この考案の補整用具の一実施例を示す模式図である。
【図２】図１に示す実施例の正面図である。
【図３】この考案の補整用具の他の実施例を示す正面図である。
【考案を実施するための形態】
【００１６】
図１は、補整用具１０を着用することにより、人体３０の胴回りの凹み３２を緩和し補整した状態を示す。補整用具１０は、他の部分よりも細い胴回りの周囲に巻かれ、自らの保持力により保持されている。
【００１７】
図２は、補整用具１０を展開した状態を示す正面図である。補整用具１０は、細長い布であり、一方の始端１０１から他方の終端１０２まで軸線に沿う縦方向に広がっている。始端１０１から終端１０２まで続く布本体１０Ｂの幅は一様である。その幅は、補整すべき胴回りの幅（つまり、凹み部分の高さ方向の長さ）の大きさに関連する。布本体１０Ｂの幅は、補整すべき胴回りの幅を超えないように設定する。布本体１０Ｂの幅は、通常、１５ｃｍ〜３０ｃｍほどである。
【００１８】
布本体１０Ｂは、互いに異なる３つの織り部分を備える。始端１０１を含む第１の織り部分１１０と、その第１の織り部分１１０に続く第３の織り部分１３０と、その第３の織り部分１３０に続く第２の織り部分１２０との３つである。最後に位置する第２の織り部分１２０の端が、布本体１０Ｂの終端１０２になる。
【００１９】
布本体１０Ｂの軸線に沿う縦方向の長さは、着用する人の胴回りの大きさで変えることが好ましいが、一般的には、全長で３ｍ〜４ｍである。その全長は、たとえば、通常のタオルの５枚分に相当する。したがって、この布本体１０Ｂについては、取扱いの便宜を図り、ロール状に巻いた形態で取り扱う。
【００２０】
始端１０１を含む布本体１０Ｂの第１の織り部分１１０は、通常のタオルの２枚相当の長さであり、それに続く中間の第３の織り部分１３０は、通常のタオルの１枚相当の長さ、そして、終端１０２に至る第２の織り部分１０２は、第１の織り部分１１０と同様、通常のタオルの２枚相当の長さである。
【００２１】
また、布本体１０Ｂにおける第１〜第３の各織り部分１１０、１２０、１３０の役割は互いに異なるため、互いに異なる生地および織り構造である。第１の織り部分１１０は、いわゆるタオル地であり、縦糸と横糸とを含む通常の布地とは異なり、さらにパイル糸を含む。パイル糸があることにより、タオル地は通常の布地よりも厚く、たとえば数ｍｍ〜１ｃｍ弱である。第１の織り部分１１０の主な役割は、凹みを緩和するための厚さをかせぐことにある。さらには、そのようなタオル地からなる第１の織り部分１１０は、吸水性や肌触りにすぐれており、肌に直接接触させることができる。
【００２２】
第１の織り部分１１０に続く、中間的な第３の織り部分１３０は、胴回りに巻いた第１の織り部分１１０を引き締め、その後に続く第２の織り部分１２０に引き渡すという役割をもつ。そのため、中間的な第３の織り部分１３０は、厚さあるいは織り密度の点から、第１の織り部分１１０と第２の織り部分１２０との中間に位置する。この第３の織り部分１３０として、さらし地が好ましい。さらし地は、縦糸と横糸との平織りであり、薄く、織り密度が比較的に大きい。
【００２３】
第３の織り部分１３０に続く、第２の織り部分１２０の役割は、自らの重なりにより、胴回りに巻いた布本体１０Ｂを保持することである。そのような役割上、第２の織り部分１２０としては、織り密度が粗いものが好ましく、ガーゼ地が最も好ましい。ガーゼ地からなる第２の織り部分１２０は、第１の織り部分１１０を引き締める第３の織り部分１３０の上に巻かれ、自らが重なり合う状態で、布本体１０Ｂを胴回りにしっかりと保持する。そのため、保持のための腰ひもなどの用具が不要である。
【００２４】
なお、布本体１０Ｂは、折り重ねることなく用いることができるが、場合によっては、その少なくとも一部を折り重ねることにより、凹み分をカバーしやすくしたりすることもできる。
【００２５】
また、体へのフィット性をより良くするためには、布本体１０Ｂの各織り部分１１０，１２０，１３０について、区域内での均一性を保つことが求められる。その点、各織り部分１１０，１２０，１３０を縫製によって連結するよりも、無縫製によって連結する方が好ましい。また、縫製による場合、連結する部分の重なりによる厚さの変化を少なくするようにするのが良い。同様に、布本体１０Ｂの周縁部を、内側部分との厚さの違いを生じないように構成することが好ましい。
【００２６】
図３は、この考案の他の実施例であり、胸の部分の補正に用いる補整用具２０を示す。補整用具２０は、中央の第１の織り部分２１０と、その第１の織り部分２１０の両側に配列した一対の第２の織り部分２０，２２０とを備える。第１の織り部分２１０は、先の実施例における第１の織り部分１１０に対応する部分であり、タオル地の構成である。また、一対の第２の織り部分２２０，２２０は、先の実施例における第２の織り部分１２０に対応する部分であり、ガーゼ地の構成である。補整に際しては、中央の第１の織り部分２１０を肩にかけ、両端の一対の第２の織り部分２２０，２２０を互いに重ね合わせることにより、自らの重ね合わせによって保持力を得る。
【符号の説明】
【００２７】
１０  胴回りの補整用具
１０Ｂ  布本体
１１０  第１の織り部分
１２０  第２の織り部分
１３０  第３の織り部分
２０  胸の部分の補整用具
２１０  第１の織り部分
２２０  第２の織り部分
【図１】
0003226158.tif 000003
【図２】
0003226158.tif 000004
【図３】
0003226158.tif 000005
【手続補正書】
【提出日】令和2年3月3日(2020.3.3)
【手続補正１】
【補正対象書類名】実用新案登録請求の範囲
【補正対象項目名】全文
【補正方法】変更
【補正の内容】
【実用新案登録請求の範囲】
【請求項１】
所定の幅をもち、一方の端から他方の端へと軸線に沿う縦方向に広がる布本体を備え、その布本体により、人体の凹みを緩和するための補整用具であって、次のような条件および構成をすべて備えることを特徴とする補整用具。
Ａ  前記布本体は、前記軸線に沿う縦方向に沿って、厚さの大きい第１の織り部分と、その第１の織り部分よりも厚さの小さい第２の織り部分とを少なくとも備える。
Ｂ  前記第１の織り部分の厚さは、補整すべき人体の凹みを緩和するのに適した大きさである。
Ｃ  前記第２の織り部分は、前記第１の織り部分よりも織り密度が小さく、自らの重なりにより、その重なり状態を保持することができる構成である。
【請求項２】
前記第１の織り部分と前記第２の織り部分との間に、前記第１の織り部分よりも厚さが小さく、前記第２の織り部分よりも織り密度の大きい、第３の織り部分がある、請求項１の補整用具。
【請求項３】
前記第１の織り部分はタオル地、前記第２の織り部分はガーゼ地、そして、前記第３の織り部分はさらし地である、請求項２の補整用具。
【請求項４】
前記第１の織り部分、前記第２の織り部分、および前記第３の織り部分との互いに異なる織り部分の各間は、無縫製であり織りによりつながっている、請求項２の補整用具。
【請求項５】
前記第１の織り部分、前記第２の織り部分、および前記第３の織り部分との互いに異なる織り部分の各間は、縫製によってつながっている、請求項２の補整用具。